(57)【要約】      （修正有）【課題】魚艙内の水の溶存酸素量を低下させ溶存窒素量を高めて魚の鮮度を維持するための低コストな魚艙システムを提供する。【解決手段】魚艙６と、冷却手段とを備えた魚艙システムにおいて、通過する水の溶存酸素量を低下させ溶存窒素量を高めて窒素水に変換するべく魚艙の外部に設置された窒素水変換装置３と、魚艙から水を取り出し窒素水変換装置に通した後に魚艙内に戻すように循環させる水循環手段と、を備え、窒素水変換装置は、大気中から窒素ガスを抽出する窒素ガス抽出器３２と、抽出した窒素ガスを通過する水に注入する窒素ガス注入器３３とを具備する。冷却手段が魚艙の外部に設置されており、水循環手段は、魚艙から取り出した水を窒素水変換装置に通す前に冷却手段に通して熱交換により冷却する。冷却手段が魚艙の内部に設置される場合は、水循環手段は、魚艙内の水を冷却手段に通して熱交換により冷却した後に魚艙から取り出す。【選択図】図１
0003193441.tif 000002
【実用新案登録請求の範囲】
【請求項１】
魚艙と、前記魚艙内の水を冷却するための冷却手段とを備えた魚艙システムにおいて、
通過する水の溶存酸素量を低下させ溶存窒素量を高めて窒素水に変換するべく前記魚艙の外部に設置された窒素水変換装置と、
前記魚艙から水を取り出し前記窒素水変換装置に通した後に前記魚艙内に戻すように循環させる水循環手段と、を備え、
前記窒素水変換装置は、大気中から窒素ガスを抽出する窒素ガス抽出器と、抽出した窒素ガスを通過する水に注入する窒素ガス注入器とを具備することを特徴とする
窒素水変換装置付き魚艙システム。
【請求項２】
前記冷却手段が前記魚艙の外部に設置されており、前記水循環手段は、前記魚艙から取り出した水を前記窒素水変換装置に通す前に前記冷却手段に通して熱交換により冷却することを特徴とする請求項１に記載の窒素水変換装置付き魚艙システム。
【請求項３】
前記冷却手段が前記魚艙の内部に設置されており、前記水循環手段は、前記魚艙内の水を前記冷却手段に通して熱交換により冷却した後に前記魚艙から取り出すことを特徴とする請求項１に記載の窒素水変換装置付き魚艙システム。
【請求項４】
前記冷却手段が、冷凍サイクルの蒸発器を構成する熱交換器であることを特徴とする請求項２又は３に記載の窒素水変換装置付き魚艙システム。
【請求項５】
前記冷却手段が、冷却されたブラインと熱交換する熱交換器であり、前記ブラインは冷凍サイクルの蒸発器を構成する別の熱交換器により冷却されることを特徴とする請求項２又は３に記載の窒素水変換装置付き魚艙システム。
【請求項６】
前記冷却手段が、前記魚艙内の水に接するように配置された冷却パイプと、
前記冷却パイプ内を流れる冷媒を前記冷却手段に通し熱交換により冷却するべく循環させる冷媒循環手段と、を備えたことを特徴とする請求項１に記載の窒素水変換装置付き魚艙システム。
【請求項７】
前記魚艙の内部に設置された窒素ガス注入管をさらに有し、前記窒素ガス抽出器により抽出された窒素ガスが、前記窒素ガス注入器に送られると同時に前記窒素ガス注入管にも送られ、前記窒素ガス注入管を通して前記魚艙内の水に注入されることを特徴とする請求項１〜６のいずれかに記載の窒素水変換装置付き魚艙システム。
【請求項８】
魚艙と、前記魚艙内の水を冷却するための冷却手段とを備えた魚艙システムにおいて、
前記魚艙内の水の溶存酸素量を低下させ溶存窒素量を高めて窒素水に変換するための窒素水変換装置を備え、前記窒素水変換装置は、前記魚艙の外部に設置されかつ大気中から窒素ガスを抽出する窒素ガス抽出器を具備する窒素ガス生成装置と、前記魚艙の内部に設置された窒素ガス注入管とを有し、前記窒素ガス抽出器により抽出された窒素ガスが前記窒素ガス注入管に送られ、前記窒素ガス注入管を通して前記魚艙内の水に注入されることを特徴とする
窒素水変換装置付き魚艙システム。
【請求項９】
前記冷却手段が前記魚艙の外部に設置されており、水循環手段が、前記魚艙から取り出した水を前記冷却手段に通して熱交換により冷却した後、前記魚艙内に戻すことを特徴とする請求項８に記載の窒素水変換装置付き魚艙システム。
【請求項１０】
前記冷却手段が前記魚艙の内部に設置されており、水循環手段が、前記魚艙内の水を前記冷却手段に通して熱交換により冷却した後に前記魚艙内に戻すことを特徴とする請求項８に記載の窒素水変換装置付き魚艙システム。
【請求項１１】
前記冷却手段が、冷凍サイクルの蒸発器を構成する熱交換器であることを特徴とする請求項９又は１０に記載の窒素水変換装置付き魚艙システム。
【請求項１２】
前記冷却手段が、冷却されたブラインと熱交換する熱交換器であり、前記ブラインは冷凍サイクルの蒸発器を構成する別の熱交換器により冷却されることを特徴とする請求項９又は１０に記載の窒素水変換装置付き魚艙システム。
【請求項１３】
前記冷却手段が、前記魚艙内の水に接するように配置された冷却パイプと、
前記冷却パイプ内を流れる冷媒を前記冷却手段に通し熱交換により冷却するべく循環させる冷媒循環手段と、を備えたことを特徴とする請求項８に記載の窒素水変換装置付き魚艙システム。
【請求項１４】
前記魚艙内の水を滅菌するための紫外線滅菌装置を備えたことを特徴とする請求項１〜１３のいずれかに記載の窒素水変換装置付き魚艙システム。
【考案の詳細な説明】
【技術分野】
【０００１】
本考案は、漁獲した鮮魚を冷水中で保存するために漁船に備え付けられた魚艙システムに関する。
【背景技術】
【０００２】
漁船には、漁獲した鮮魚を冷水中で保存するための魚艙が備え付けられている。実際には、水タンクである魚艙と、魚艙内の水（海水）を冷却するための冷却機とを具備するシステムとして構成されている。魚艙用の冷却機は、例えば、特許文献１〜４に開示されている。
【０００３】
特許文献１〜３に記載の冷却機は、魚艙内の水をポンプで循環させるとともに、循環経路上に冷凍サイクルからなる冷却機を設置し、冷凍サイクルと熱交換することにより、魚艙内の水を冷却するものである。特許文献１、２の冷却機は、魚艙の外部に設置されており、特許文献３の冷却機は、魚艙の内部に設置されている。
【０００４】
また、特許文献４に記載の冷却機は、魚艙の周囲の壁に冷却パイプを配置し、冷却パイプを流れる冷媒が循環して外部に設置された冷凍サイクルと熱交換することにより、魚艙内の水を冷却するものである。
【０００５】
特許文献５には、窒素ガスを含む水を凍らせた窒素ガス封入氷で魚艙の水面を覆い、窒素ガス封入氷が融けることにより魚艙内の水の溶存酸素量を減少させることで、魚の鮮度を維持する技術が開示されている。
【先行技術文献】
【特許文献】
【０００６】
【特許文献１】特公昭６３−３５９０９号公報
【特許文献２】特開平７−１４６０１３号公報
【特許文献３】実開平４−２７３６９号公報
【特許文献４】実開平４−２３９８４号公報
【特許文献５】特開２００７−１５５１７２号公報
【考案の概要】
【考案が解決しようとする課題】
【０００７】
特許文献５の窒素ガス封入氷は、漁船内で窒素ガス封入氷を製造する必要があるため、大がかりな製造設備が必要となる。また、窒素ガス封入氷が融けることで間接的に魚艙内の水の溶存酸素量を減少させるので、十分に溶存酸素量を低下させるためには、魚艙内の水を用いた窒素ガス封入氷の凍結と融解を循環させて繰り返し行う必要がある。このため、窒素ガス封入氷を用いて魚艙内の魚の鮮度維持を図るには、コストが高くなる。
【０００８】
以上の現状に鑑み、本考案は、魚艙内の水の溶存酸素量を低下させ溶存窒素量を高めて魚の鮮度を維持するための低コストな魚艙システムを提供することを目的とする。
【課題を解決するための手段】
【０００９】
上記課題を解決すべく、本考案は、以下の構成を有する。
本考案の窒素水変換装置付き魚艙システムの第１の態様は、魚艙と、前記魚艙内の水を冷却するための冷却機とを備えた魚艙システムにおいて、通過する水の溶存酸素量を低下させ溶存窒素量を高めて窒素水に変換するべく前記魚艙の外部に設置された窒素水変換装置と、前記魚艙から水を取り出し前記窒素水変換装置に通した後に前記魚艙内に戻すように循環させる水循環手段と、を備え、前記窒素水変換装置は、大気中から窒素ガスを抽出する窒素ガス抽出器と、抽出した窒素ガスを通過する水に注入する窒素ガス注入器とを具備することを特徴とする。
【００１０】
上記第１の態様において、前記冷却機が前記魚艙の外部に設置されており、前記水循環手段は、前記魚艙から取り出した水を前記窒素水変換装置に通す前に前記冷却機に通して熱交換により冷却することを特徴とする。
【００１１】
上記第１の態様において、前記冷却機が前記魚艙の内部に設置されており、前記水循環手段は、前記魚艙内の水を前記冷却機に通して熱交換により冷却した後に前記魚艙から取り出すことを特徴とする。
【００１２】
上記第１の態様において、前記冷却手段が、冷凍サイクルの蒸発器を構成する熱交換器であることを特徴とする。
【００１３】
上記第１の態様において、前記冷却手段が、冷却されたブラインと熱交換する熱交換器であり、前記ブラインは冷凍サイクルの蒸発器を構成する別の熱交換器により冷却されることを特徴とする。
【００１４】
上記第１の態様において、前記冷却機が、前記魚艙内の水に接するように配置された冷却パイプと、前記冷却パイプ内を流れる冷媒を前記冷却機に通し熱交換により冷却するべく循環させる冷媒循環手段と、を備えたことを特徴とする。
【００１５】
上記第１の態様において、前記魚艙の内部に設置された窒素ガス注入管をさらに有し、前記窒素ガス抽出器により抽出された窒素ガスが、前記窒素ガス注入器に送られると同時に前記窒素ガス注入管にも送られ、前記窒素ガス注入管を通して前記魚艙内の水に注入されることを特徴とする。
【００１６】
本考案の窒素水変換装置付き魚艙システムの第２の態様は、魚艙と、前記魚艙内の水を冷却するための冷却機とを備えた魚艙システムにおいて、前記魚艙内の水の溶存酸素量を低下させ溶存窒素量を高めて窒素水に変換するための窒素水変換装置を備え、前記窒素水変換装置は、前記魚艙の外部に設置されかつ大気中から窒素ガスを抽出する窒素ガス抽出器を具備する窒素ガス生成装置と、前記魚艙の内部に設置された窒素ガス注入管とを有し、前記窒素ガス抽出器により抽出された窒素ガスが前記窒素ガス注入管に送られ、前記窒素ガス注入管を通して前記魚艙内の水に注入されることを特徴とする。
【００１７】
上記第２の態様において、前記冷却機が前記魚艙の外部に設置されており、水循環手段が、前記魚艙から取り出した水を前記冷却機に通して熱交換により冷却した後、前記魚艙内に戻すことを特徴とする。
【００１８】
上記第２の態様において、前記冷却機が前記魚艙の内部に設置されており、水循環手段が、前記魚艙内の水を前記冷却機に通して熱交換により冷却した後に前記魚艙内に戻すことを特徴とする。
上記第２の態様において、前記冷却手段が、冷凍サイクルの蒸発器を構成する熱交換器であることを特徴とする。
上記第２の態様において、前記冷却手段が、冷却されたブラインと熱交換する熱交換器であり、前記ブラインは冷凍サイクルの蒸発器を構成する別の熱交換器により冷却されることを特徴とする。
【００１９】
上記第２の態様において、前記冷却機が、前記魚艙内の水に接するように配置された冷却パイプと、前記冷却パイプ内を流れる冷媒を前記冷却機に通し熱交換により冷却するべく循環させる冷媒循環手段と、を備えたことを特徴とする。
【００２０】
上記第１又は第２の態様において、前記魚艙内の水を滅菌するための紫外線滅菌装置を備えたことを特徴とする。
【考案の効果】
【００２１】
本考案の窒素水変換装置付き魚艙システムは、魚艙内の水（通常は海水）を水循環手段により魚艙と窒素水変換装置の間で循環させて窒素水変換装置に通すことにより、水中に窒素ガスを溶け込ませるとともに、溶存酸素を追い出して溶存酸素量を低下させる。例えば、１時間程度循環させると、２トンの水における溶存気体の９９パーセントを窒素とすることが可能である。または、魚艙の内部に設置した窒素ガス注入管を通して窒素ガスを噴射することにより魚艙内の水に窒素ガスを溶け込ませるとともに、溶存酸素を追い出して溶存酸素量を低下させる。こうして、魚艙内の水は、窒素ガスが豊富に溶け込んだ水すなわち「窒素水」となる。
【００２２】
魚艙内の水は、冷却機により冷却される。水は温度が低いほど気体を多く溶け込ませることが知られている。従って、魚艙内の水を冷却機により冷却した後に窒素水変換装置に通すことにより、または、魚艙内の水を冷却機により冷却した後に窒素ガスを噴射することにより、窒素ガスを溶け込ませ易くすることができる。
【００２３】
魚艙内の水を窒素水とすることにより、漁獲した魚の鮮度維持効果を格段に向上させることができる。従来は、魚の鮮度維持には酸素を供給して生かすことが重要と考えられてきたが、本考案では、魚を生かすことよりもむしろ、魚の肉組織や内蔵などの鮮度維持及び酸化や腐敗の防止を図ることを優先させたものである。本考案を適用された魚は、陸揚げ後の流通、販売を経て消費されるまでの間においても、従来より長い鮮度維持期間を有するので、これまで販売できなかった地域への販売も可能となり、市場の拡大を実現できる。
【図面の簡単な説明】
【００２４】
【図１】図１は、本考案の窒素水変換装置付き魚艙システムの一構成例を概略的に示す図である。
【図２】図２は、本考案の窒素水変換装置付き魚艙システムの別の構成例を概略的に示す図である。
【図３】図３は、本考案の窒素水変換装置付き魚艙システムのさらに別の構成例を概略的に示す図である。
【図４】図４は、本考案の窒素水変換装置付き魚艙システムのさらに別の構成例を概略的に示す図である。
【図５】図５は、本考案の窒素水変換装置付き魚艙システムのさらに別の構成例を概略的に示す図である。
【図６】図６は、本考案の窒素水変換装置付き魚艙システムのさらに別の構成例を概略的に示す図である。
【考案を実施するための形態】
【００２５】
以下、図面を参照しつつ本考案の実施形態を説明する。
図１は、本考案の窒素水変換装置付き魚艙システムの一構成例を概略的に示す図である。
【００２６】
図１の窒素水変換装置付き魚艙システム１Ａは、魚艙６と、冷却機２と、窒素水変換装置３とを備えている。魚艙６は、漁獲した魚の鮮度を保持するために漁船内に設置されている。魚艙６内の水は、通常は海水である。しかしながら本考案は真水にも適用でき、また、海水と真水を混合した水にも適用できる。また、図示の例では、１つの魚艙６のみを示しているが、魚艙６が複数設置される場合も、本考案を適用できる。
【００２７】
通常、適宜のポンプ等により海水を汲み上げ、魚艙６内に充填する。水中の雑菌を死滅させるために、魚艙６に充填する際に紫外線滅菌装置９１を通過させることが好ましい。この紫外線滅菌装置９１は、後述する他の図面を参照して示す構成例においても同様に適用できる。
【００２８】
魚艙６内の水は、魚艙６から取り出され、窒素水変換装置３を通過することにより溶存酸素量が低下し溶存窒素量が高まって窒素水に変換された後、魚艙６内に戻される。このように水を循環させるために、水循環手段を備えている。水循環手段は、具体的には、水循環ポンプ４及び適宜の配管である。水の循環経路を、黒矢印付き太線で模式的に示している（以下の図においても同様）。
【００２９】
なお、魚艙６内の水を清浄に保持するために、図１に示すように水の循環経路の途中、または、魚艙内に紫外線滅菌装置９２を配置し、魚艙６内の水を通過させることが好適である。この紫外線滅菌装置９２は、後述する他の図面を参照して示す構成例においても同様に適用できる。
【００３０】
魚艙６内の水を低温に維持するための冷却機２は、この例では、魚艙６の外部に設置されており、窒素水変換装置３の前段に配置されている。冷却機２は、図示の例では冷凍サイクルを構成している。一般的な冷凍サイクルでは、コンプレッサ、凝縮器、膨張弁、蒸発器２１の各要素を冷媒が循環している。蒸発器２１で冷媒が蒸発する際に、魚艙６内から取り出された水から熱を吸収する熱交換を行う。冷却機２で冷却された水は、窒素水変換装置３に送られる。窒素の溶解度は水温が低いほど高くなるので、低温であるほど窒素置換に有効である。従って、先ず水を冷却してから窒素ガス注入を行うことが好ましい。但し、水温は、魚の鮮度維持に最適な温度も考慮して設定する。
【００３１】
窒素水変換装置３は、魚艙６の外部に設置されている。気体の流れを白矢印付き点線で示している（以下の図においても同様）。窒素水変換装置３は、大気を圧縮するエアコンプレッサ３１と、圧縮空気から窒素ガスを抽出する窒素ガス抽出器３２と、抽出した窒素ガスを通過する水に注入する窒素ガス注入器３３とを具備する。エアコンプレッサー３１は、例えば(株)日立産機システムのオイルフリーベビコン（登録商標）を用いることができる。供給エア圧力が０．５から０．９メガパスカルのものを用いる。
【００３２】
窒素ガス抽出器３２は、ポリイミド中空糸膜からなる窒素分離膜を設けた圧力容器の一端に圧縮空気を取り込み、横の口から酸素をパージ（排出）し、圧力容器の他端から窒素ガスを取出すものである。気体の種類により膜の透過速度が異なることを利用したものであり、例えば(株)片山化学工業研究所の脱気装置「リプレル」（登録商標）を用いることができる。
【００３３】
窒素ガス注入器３３は、例えば、１時間あたり２トン（２立方メートル）の水を通過させることにより処理し、１リットルあたり１．０ミリグラムの溶存酸素量まで酸素を追い出す能力を有する。窒素ガス抽出器３２から送られた高圧の窒素ガスは、注入ノズル（図示せず）により通過する水の中に注入される。この注入ノズルは、注入する窒素ガスの粒子を細かくして窒素置換を促進する。
【００３４】
魚艙６内の水を１時間程度循環させると、２トンの水における溶存気体の９９パーセントを窒素とすることが可能である。溶存窒素量が所定の量に達した後は、窒素水変換装置３を停止させて単に水を通過させるようにしてもよい。その後は、溶存窒素量が低下しないように補う程度に、時々窒素水変換装置３を稼働してもよい。
【００３５】
図２は、本考案の窒素水変換装置付き魚艙システムの別の構成例を概略的に示す図である。なお、図１と同じ機能を有する構成要素については、同じ符号で示している。
【００３６】
図２の窒素水変換装置付き魚艙システム１Ｂは、魚艙６と、冷却機２と、窒素水変換装置３とを備えている。図１の魚艙システム１Ａと異なる点は、冷却機２が魚艙６内に設置されている点である。従って、この場合の水循環手段は、魚艙６内の水を、先ず魚艙内に設置された冷却機２に通して熱交換により冷却した後に、魚艙６から取り出し、窒素水変換装置３に送る。
【００３７】
図３は、本考案の窒素水変換装置付き魚艙システムのさらに別の構成例を概略的に示す図である。なお、図１と同じ機能を有する構成要素については、同じ符号で示している。
【００３８】
図３の窒素水変換装置付き魚艙システム１Ｃは、魚艙６と、冷却機２と、窒素水変換装置３とを備えている。図１の魚艙システム１Ａと異なる点は、魚艙６内の水の冷却方法が異なる点である。この例では、魚艙６内の水を冷却機２との熱交換で直接的に冷却するのではなく、魚艙６内の水と接するように配置された冷却パイプ１１により間接的に冷却する。図３では、冷却パイプ１１を模式的に示しているが、例えば、魚艙６の側壁の内面上に、ジグザグに折り返された形状をもつ冷却パイプ１１を配置する。冷却パイプ１１内には冷媒が充填されている。冷却パイプ１１内の冷媒は、冷媒循環ポンプ５及び適宜の配管からなる冷媒循環手段により、冷却機２を通過して循環する。冷媒循環経路は、矢印付き一点破線で模式的に示されている。冷媒は冷却機２で蒸発器２１と熱交換して冷却される。この結果、冷却パイプ１１と接する魚艙６内の水が冷却される。
【００３９】
なお、魚艙６内の水を、水循環ポンプ４により窒素水変換装置３に送り、窒素置換して窒素水を魚艙６に戻す水循環経路については、水が冷却機２を通過しない点以外は、図１及び図２の魚艙システムと同様である。
【００４０】
図４は、本考案の窒素水変換装置付き魚艙システムのさらに別の構成例を概略的に示す図である。なお、図１と同じ機能を有する構成要素については、同じ符号で示している。
【００４１】
図４の窒素水変換装置付き魚艙システム１Ｄは、魚艙６と、冷却機２と、窒素水変換装置とを備えている。図１の魚艙システム１Ａと異なる点は、窒素水変換装置が、魚艙６の外部に設置された窒素ガス発生装置７と、魚艙６の内部に設置された窒素ガス注入管８とから構成される点である。
【００４２】
窒素ガス生成装置７は、大気を圧縮するエアコンプレッサ７１と、圧縮空気から窒素ガスを抽出する窒素ガス抽出器７２とを備えている、これらは、図１の魚艙システム１Ａのエアコンプレッサ３１及び窒素ガス抽出器３２と同じものである。図４の魚艙システム１Ｄでは、窒素ガス抽出器７２により抽出された窒素ガスは、高圧で適宜の配管により窒素ガス注入管８に送られる。
【００４３】
窒素ガス注入管８は、例えば魚艙６内で水平方向に延在する長尺の管であり、管壁には窒素ガスを噴出するための多数の孔８ａが形成されている。高圧で水中に噴射される窒素ガスは水に溶け込むと同時に溶存酸素を追い出す。このようにして、魚艙６内の水の溶存酸素量を低下させ溶存窒素量を高めて窒素水に変換する。
【００４４】
図４の魚艙システム１Ｄでは、冷却機２が魚艙６の外部に設置されており、水循環ポンプ４が、魚艙６から取り出した水を冷却機２に通して熱交換により冷却した後、魚艙６内に戻す。これにより、魚艙６内の水が冷却される。
【００４５】
また、図４の魚艙システム１Ｄの変形形態として、図２の魚艙システム１Ｂのように冷却機が魚艙６の内部に設置された形態（図示せず）も可能である。その場合は、水循環ポンプが、魚艙内の水を魚艙内の冷却機に吸引し、冷却機を通して熱交換により冷却した後、水を外部に取り出すことなく魚艙内に戻す。
【００４６】
さらにまた、図４の魚艙システム１Ｄの変形形態として、図３の魚艙システム１Ｃのように魚艙６内の水を循環させずに、冷却パイプにより間接的に冷却する形態（図示せず）も可能である。
【００４７】
図５は、本考案の窒素水変換装置付き魚艙システムのさらに別の構成例を概略的に示す図である。なお、図１と同じ機能を有する構成要素については、同じ符号で示している。
【００４８】
図５の窒素水変換装置付き魚艙システム１Ｅは、魚艙６と、冷却システム２Ａと、窒素水変換装置とを備えている。図１の魚艙システム１Ａと異なる点は、魚艙６内の水の冷却手段が、冷却機２による直接冷却方式ではなく、ブライン（不凍液）を介した二次冷却方式を採用した冷却システム２Ａである点である。
【００４９】
冷却システム２Ａでは、ブラインタンク２３から供給されポンプにより循環するブラインが熱交換器２２において魚艙６内の水と熱交換を行い、冷却する。ブライン２は、冷却機２は、冷凍サイクルを構成している。ブラインは、冷却機２の蒸発器２１における熱交換で冷却される。冷却機２の凝縮器では、冷却塔２４との間で循環する水と熱交換が行われる。
【００５０】
図示しないが、別の例として、冷却システム２Ａにおける熱交換器２２を魚艙６内に設置してもよい。
【００５１】
本考案を適用する魚艙システムの魚艙内の水の冷却手段は、特定の方式に限定されず、どのような冷却手段を備えた魚艙システムであっても本考案を適用可能である。
【００５２】
図６は、本考案の窒素水変換装置付き魚艙システムのさらに別の構成例を概略的に示す図である。なお、図１と同じ機能を有する構成要素については、同じ符号で示している。
【００５３】
図６の窒素水変換装置付き魚艙システム１Ｆは、図１の魚艙システム１Ａと同じ魚艙６と、冷却機２と、窒素水変換装置３とを備え、さらに上述した図４の魚艙システム１Ｄで示したように魚艙６内に設置した窒素ガス注入管８を備えている。魚艙システム１Ｆでは、窒素水変換装置３の窒素ガス抽出器３２で生成された窒素ガスが、窒素ガス注入器３３と、窒素ガス注入管８の双方に送られる。この方式では、魚艙６内の水の循環経路の途中における窒素ガスの注入と、魚艙６内への窒素ガスの直接噴射を併用している。
【００５４】
図示しないが、図１〜図３及び図５に示した各魚艙システムにおいても、図６の魚艙システム１Ｆと同様に、魚艙６内に窒素ガス注入管８を設置して、循環水への窒素ガス注入と併用してもよい。
【００５５】
以上に述べた構成例以外にも本考案の変形形態は、多様に実施可能である。既存の魚艙システムには種々の方式があるが、本考案は、いずれの方式に対しても窒素水変換装置を外付けするだけでよいので、既存の魚艙システムにおいても容易に実施することが可能である。
【符号の説明】
【００５６】
１Ａ、１Ｂ、１Ｃ、１Ｄ  窒素水変換装置付き魚艙システム
２  冷却機
２Ａ  冷却システム
２１  蒸発器
２２  熱交換器
２３  ブラインタンク
２４  冷却塔
３  窒素水変換装置
３１  コンプレッサ
３２  窒素ガス抽出器
３３  窒素ガス注入器
３４  窒素ガス注入ノズル
４  水循環ポンプ
５  冷媒循環ポンプ
６  魚艙
７  窒素ガス生成装置
７１  コンプレッサ
７２  窒素ガス抽出器
８  窒素ガス注入管
９１、９２  紫外線滅菌装置
【図１】
0003193441.tif 000003
【図２】
0003193441.tif 000004
【図３】
0003193441.tif 000005
【図４】
0003193441.tif 000006
【図５】
0003193441.tif 000007
【図６】
0003193441.tif 000008